(57)【要約】【課題】警告灯に対して適切な対処をとるための情報を運転者に示す技術を提供する。【解決手段】  警告灯説明方法は、車両の警告灯を撮像した撮像画像を取得する画像取得ステップと、取得された撮像画像を解析して撮像画像に含まれる警告灯を特定する解析ステップと、特定された警告灯について説明する情報を表示させる表示制御ステップと、特定された警告灯に関する情報を所定の外部装置に送信させる通信制御ステップと、特定された警告灯の情報にもとづいて車両の整備施設またはサポートセンターを選択する選択ステップと、を含む。【選択図】図１
2020036259.tif 000002
【特許請求の範囲】
【請求項１】
車両の警告灯を撮像した撮像画像を取得する画像取得ステップと、
取得された撮像画像を解析して撮像画像に含まれる警告灯を特定する解析ステップと、
特定された警告灯により示される車両状態について説明する情報を表示させる表示制御ステップと、
特定された警告灯に関する情報および取得された撮像画像の少なくとも一方を所定の外部装置に送信させる通信制御ステップと、を含む警告灯説明方法。
【請求項２】
特定された警告灯により示される車両状態にもとづいて車両の整備施設またはサポートセンターを選択する選択ステップをさらに含み、
前記通信制御ステップにおいて、車両の整備施設またはサポートセンターに設けられる前記所定の外部装置に、特定された警告灯に関する情報および取得された撮像画像の少なくとも一方を送信させることを特徴とする請求項１に記載の警告灯説明方法。
【請求項３】
車両の警告灯を撮像した撮像画像を取得する処理と、
撮像画像を解析して撮像画像に含まれる警告灯を特定する処理と、
特定された警告灯により示される車両状態について説明する情報を表示させる処理と、
特定された警告灯に関する情報および取得された撮像画像の少なくとも一方を所定の外部装置に送信させる処理と、をコンピュータに実行させる警告灯説明プログラム。
【発明の詳細な説明】
【技術分野】
【０００１】
本発明は、車両に設けられた警告灯について説明するための情報を提供する技術に関する。
【背景技術】
【０００２】
特許文献１には、車両の監視対象から検出した検出信号が正常状態を示すか異常状態を示すか判別する状態情報判別手段と、判別された状態情報を表示画面に表示させる状態情報表示手段とを備える車両状態監視装置が開示されている。
【先行技術文献】
【特許文献】
【０００３】
【特許文献１】特開２００２−１４０７９７号公報
【発明の概要】
【発明が解決しようとする課題】
【０００４】
車両に設けられた警告灯が点灯した際、運転者が警告灯を見ても車両に発生した異常に対してどのように対処すべきか分からないことがある。
【０００５】
本発明の目的は、警告灯により示される車両状態に対して適切な対処をとるための情報を運転者に示す技術を提供することにある。
【課題を解決するための手段】
【０００６】
上記課題を解決するために、本発明のある態様の警告灯説明方法は、車両の警告灯を撮像した撮像画像を取得する画像取得ステップと、取得された撮像画像を解析して撮像画像に含まれる警告灯を特定する解析ステップと、特定された警告灯により示される車両状態について説明する情報を表示させる表示制御ステップと、特定された警告灯に関する情報および取得された撮像画像の少なくとも一方を所定の外部装置に送信させる通信制御ステップと、を含む。
【０００７】
この態様によると、特定された警告灯について説明する情報を表示させることで、運転者に警告灯の内容を把握させることができる。また、特定された警告灯に関する情報を所定の外部装置に送信させることで、外部装置側にて車両状態を認識した対処をすることが可能となる。
【０００８】
特定された警告灯により示される車両状態にもとづいて車両の整備施設またはサポートセンターを選択する選択ステップをさらに含んでもよい。通信制御ステップにおいて、車両の整備施設またはサポートセンターに設けられる所定の外部装置に、特定された警告灯に関する情報および取得された撮像画像の少なくとも一方を送信させてもよい。
【０００９】
別の態様の警告灯説明プログラムは、車両の警告灯を撮像した撮像画像を取得する処理と、撮像画像を解析して撮像画像に含まれる警告灯を特定する処理と、特定された警告灯により示される車両状態について説明する情報を表示させる処理と、特定された警告灯に関する情報および取得された撮像画像の少なくとも一方を所定の外部装置に送信させる処理と、をコンピュータに実行させる。
【００１０】
この態様によると、特定された警告灯について説明する情報を表示させることで、運転者に警告灯の内容を把握させることができる。また、特定された警告灯に関する情報を所定の外部装置に送信させることで、外部装置側にて車両状態を認識した対処をすることが可能となる。
【発明の効果】
【００１１】
本発明によれば、警告灯により示される車両状態に対して適切な対処をとるための情報を運転者に示す技術を提供できる。
【図面の簡単な説明】
【００１２】
【図１】実施例の警告灯説明方法について説明するための画像を示す図である。
【図２】携帯端末装置に設けられた警告灯説明プログラムについて説明するための図である。
【図３】警告灯説明処理について説明するためのフローチャートである。
【発明を実施するための形態】
【００１３】
図１は、実施例の警告灯説明方法について説明するための画像を示す。図１（ａ）には、赤色の警告灯５２を撮像した撮像画像５０が示される。車両のインストルメントパネルには複数種類の警告灯が点灯表示できるように設けられている。いずれかの警告灯が点灯した場合に、その警告灯に示す内容を運転者が正確に知らないことがある。なお、警告灯は、ランプにより点灯するものであってよく、ディスプレイに点灯表示されるものであってよい。また、警告灯は、複数の色に点灯可能であって、点灯した色によって異なる車両状態を示すものがあり、点灯と点滅が可能なものがある。
【００１４】
運転者が、点灯した警告灯を携帯端末装置のカメラで撮像すると、携帯端末装置が撮像画像を解析し、撮像した警告灯により示される車両状態について説明する情報を表示させる。図１（ｂ）には、携帯端末装置のディスプレイ２４に表示させる画像を示す。
【００１５】
ディスプレイ２４には、警告灯のモデル画像５４、警告灯の説明情報５６および連絡操作領域５８が表示される。モデル画像５４は、撮像画像５０から特定された警告灯５２を示す。説明情報５６は、特定された警告灯５２に示す車両状態をテキスト形式で示す。連絡操作領域５８は、整備施設に連絡可能なボタンである。ユーザは、連絡操作領域５８をタッチ操作すると、携帯端末装置が整備施設の受付部に接続されて、点灯した警告灯５２に対処するサービスを受けることができる。
【００１６】
このように、車両の警告灯が点いた際に、運転者は携帯端末装置によってその警告灯を撮像させると、点いた警告灯により示される車両状態の情報を得ることができ、必要であれば警告灯に対処するサービスを受けることができる。
【００１７】
図２は、携帯端末装置１０に設けられた警告灯説明プログラム２０について説明するための図である。図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１８】
運転者は、携帯端末装置１０を所有しており、車両の警告灯を携帯端末装置１０により撮像可能である。携帯端末装置１０は、警告灯説明プログラム２０、カメラ２２、ディスプレイ２４および通信部２６を有する。警告灯説明プログラム２０は、モデルデータ保持部３０、画像取得部３２、解析部３４、表示制御部３６、通信制御部３８、選択部４０および警告灯情報保持部４２を有する。
【００１９】
携帯端末装置１０の通信部２６は、整備施設１２の受付部およびサポートセンター１４の受付部にネットワークを介して接続可能である。整備施設１２の受付部およびサポートセンター１４の受付部は、オペレータの窓口となる外部装置であって、運転者の携帯端末装置１０とテキストまたは音声などの送受信を実現する。
【００２０】
カメラ２２は、運転者の操作により警告灯を撮像可能である。ディスプレイ２４は、警告灯について説明する画像を表示可能である。警告灯説明プログラム２０は、アプリケーションプログラムであって、図１（ｂ）に示すような警告灯について説明する情報を提供する。
【００２１】
画像取得部３２は、カメラ２２により撮像された撮像画像を取得する。取得された撮像画像には、点灯または点滅した警告灯が含まれる。画像取得部３２は、警告灯の点灯および点滅を区別するため、時間的に連続した撮像画像を取得してもよい。
【００２２】
モデルデータ保持部３０は、解析部３４での解析に用いられる警告灯のモデルデータを保持する。警告灯のモデルデータは、警告灯毎の画像であってよく、警告灯毎の特徴量であってよい。警告灯の特徴量は、他の警告灯や特徴点との位置関係を示す情報や、警告灯に示す記号の形状データなどであってよい。警告灯のモデルデータには、警告灯の画像として、同じ形状でも色が異なるものが含まれてよい。
【００２３】
解析部３４は、取得された撮像画像を解析して、撮像画像に含まれる点灯または点滅した警告灯を特定する。解析部３４は、撮像画像に含まれる点灯または点滅した警告灯を、警告灯のモデルデータとを照合して特定し、解析結果として警告灯の情報を表示制御部３６に送る。解析部３４は、警告灯の種類を特定するとともに、警告灯の色、警告灯の点灯または点滅を特定する。
【００２４】
警告灯情報保持部４２は、警告灯により示される車両状態について説明する説明情報を保持する。警告灯の説明情報は、警告灯により示される車両状態を説明するもので、テキストおよび／または音声のデータであり、警告灯毎に警告灯情報保持部４２に保持されている。また、警告灯の説明情報は、特定された警告灯の色や、点灯または点滅などの警告灯の動作よって異なってよい。警告灯の説明情報には、運転者の対応措置が含まれる。
【００２５】
選択部４０は、特定された警告灯により示される車両状態にもとづいて、運転者が整備施設１２およびサポートセンター１４のいずれに連絡すべきか選択する。選択部４０の選択結果は、図１（ｂ）に示すように連絡操作領域５８として表示される。選択部４０は、例えば、走行停止すべき重大な異常を示す警告灯が点いており、直ちに車両の整備が必要な場合に整備施設１２を選択し、ウォッシャー液不足など軽い異常を示す警告灯が点いていて少しは走行できる場合にサポートセンター１４を選択する。また、半ドアであることや、シートベルト未着用であることを示す警告灯が点いている場合には、選択部４０は整備施設１２およびサポートセンター１４のいずれも選択しない。つまり、選択部４０は、特定された警告灯により示される車両の故障度合いに応じて、整備施設１２またはサポートセンター１４を選択する。
【００２６】
選択部４０は、整備施設１２およびサポートセンター１４の連絡先を予め保持しており、解析部３４による解析結果と整備施設１２およびサポートセンター１４とを関連付けた連絡先データを保持する。警告灯の種類によっては、整備施設１２およびサポートセンター１４のいずれにも関連付けられていない。選択部４０は、特定された警告灯の情報をもとに、連絡先データを参照して、整備施設１２またはサポートセンター１４を選択可能である。
【００２７】
選択部４０は、警告灯により示される車両状態によっては、携帯端末装置１０の位置情報を取得して、予め登録されている整備施設１２のうち、携帯端末装置１０の位置から最も近い位置にある整備施設１２を案内することを決定する。また、選択部４０は、警告灯により示される車両状態によっては、予め登録された運転者の住所から最も近い位置にある整備施設１２を案内することを決定する。つまり、選択部４０は、特定された警告灯により示される車両状態にもとづいて、複数の整備施設１２のいずれかを選択する。選択部４０は、運転者の現在位置に応じた整備施設１２か、運転者の住所に応じた整備施設１２か、特定された警告灯により示される車両状態にもとづいて選択する。
【００２８】
表示制御部３６は、解析部３４による解析結果にもとづいて警告灯情報保持部４２から車両状態を説明する説明情報を引き出して画像を生成し、ディスプレイ２４に表示させる。表示制御部３６により生成される生成画像には、図１（ｂ）に示すように、モデル画像５４、警告灯の説明情報５６および連絡操作領域５８が含まれる。モデル画像５４はモデルデータ保持部３０から引き出され、警告灯の説明情報５６は、警告灯情報保持部４２から引き出され、連絡操作領域５８は、選択部４０による選択結果を示す。これにより、運転者は、点灯した警告灯がどのような異常を示すのか把握できる。
【００２９】
表示制御部３６は、選択部４０の選択結果にもとづいて、図１（ｂ）に示す連絡操作領域５８を表示させ、選択部４０により選択された整備施設１２またはサポートセンター１４の受付部に接続可能な連絡操作領域５８を表示させる。これにより、運転者が点灯した警告灯に対処するサービスを受けたい場合にその警告灯を撮像すれば、警告灯の種類に応じた適切なサービスの案内を受けることができる。
【００３０】
通信制御部３８は、整備施設１２またはサポートセンター１４に、特定された警告灯に関する情報または取得された撮像画像を通信部２６を介して送信させる。通信制御部３８によって整備施設１２およびサポートセンター１４に送信される情報は、特定された警告灯に関する情報および取得された撮像画像の両方であってよい。通信制御部３８は、表示制御部３６が連絡操作領域５８への入力を検出すると、通信部２６を介して整備施設１２またはサポートセンター１４の受付部に接続するよう制御する。
【００３１】
これにより、警告灯により示される車両状態に応じた適切な連絡先を運転者に提供できる。また、携帯端末装置１０から連絡を受けた整備施設１２またはサポートセンター１４のオペレータが、警告灯により示される車両状態を認識でき、運転者はオペレータと円滑なやり取りができる。整備施設１２またはサポートセンター１４にいるオペレータは、携帯端末装置１０から送信された警告灯により示される車両状態を見て、運転者から連絡がなくても、車両の整備を薦める案内情報を通信部２６に送ることができる。案内情報は、整備施設１２の位置や連絡先を含み、表示制御部３６によりディスプレイ２４に表示される。これにより、運転者に適切な整備を促すことができる。
【００３２】
図３は、警告灯説明処理について説明するためのフローチャートである。運転者が運転する車両の警告灯が点灯し（Ｓ１０）、運転者は携帯端末装置１０のカメラ２２によりその警告灯を撮像する（Ｓ１２）。警告灯説明プログラム２０の画像取得部３２は、警告灯を含む撮像画像を取得する（Ｓ１４）。
【００３３】
解析部３４は、取得された撮像画像を解析して、撮像画像に含まれる点灯または点滅した警告灯を特定する（Ｓ１６）。選択部４０は、解析結果にもとづいて整備施設１２またはサポートセンター１４に連絡するか判定する（Ｓ１８）。つまり、選択部４０は、予め保持する連絡先データを参照して、特定された警告灯に示す異常が整備施設１２またはサポートセンター１４に連絡すべきであるか判定する。
【００３４】
選択部４０が解析結果にもとづいて連絡不要と判定した場合（Ｓ１８のＮ）、表示制御部３６は、特定された警告灯の情報に対応する説明情報を警告灯情報保持部４２から取り出して、ディスプレイ２４に表示させ（Ｓ２８）、本処理を終える。これにより、運転者は点灯した警告灯に示す内容を把握できる。
【００３５】
選択部４０が解析結果にもとづいて連絡すべきと判定した場合（Ｓ１８のＹ）、選択部４０は、特定された警告灯の情報にもとづいて整備施設１２またはサポートセンター１４を選択する（Ｓ２０）。表示制御部３６は、特定された警告灯の情報に対応する説明情報と、選択部４０に選択された連絡先をディスプレイ２４に表示させる（Ｓ２２）。これにより、運転者は点灯した警告灯に示す内容を把握でき、表示された連絡先をタッチ操作するだけで連絡することが可能になる。
【００３６】
運転者が整備施設１２またはサポートセンター１４に連絡をしなければ（Ｓ２４のＮ）、本処理を終える。運転者が連絡操作領域５８をタッチ操作して整備施設１２またはサポートセンター１４に連絡をすると（Ｓ２４のＹ）、通信制御部３８は、特定された警告灯に関する情報を整備施設１２またはサポートセンター１４の受付部に送信させる（Ｓ２６）。これにより、運転者が整備施設１２またはサポートセンター１４のオペレータと円滑なやり取りができる。なお、運転者が整備施設１２またはサポートセンター１４に連絡しなくても、通信制御部３８は、特定された警告灯に関する情報を整備施設１２またはサポートセンター１４に送信させてよい。
【００３７】
なお実施例はあくまでも例示であり、各構成要素の組合せにいろいろな変形例が可能なこと、またそうした変形例も本発明の範囲にあることは当業者に理解されるところである。
【００３８】
実施例では、解析部３４が撮像画像に含まれる１つの警告灯を特定する態様を示したが、この態様に限られない。例えば、撮像画像に点灯した複数の警告灯が含まれる場合に、
解析部３４は、点灯した複数の警告灯をそれぞれ特定し、表示制御部３６は、特定された複数の警告灯の説明情報を表示させてよい。
【符号の説明】
【００３９】
１０  携帯端末装置、  １２  整備施設、  １４  サポートセンター、  ２０  警告灯説明プログラム、  ２２  カメラ、  ２４  ディスプレイ、  ２６  通信部、  ３０  モデルデータ保持部、  ３２  画像取得部、  ３４  解析部、  ３６  表示制御部、  ３８  通信制御部、  ４０  選択部、  ４２  警告灯情報保持部、  ５０  撮像画像、  ５２  警告灯、  ５４  モデル画像、  ５６  説明情報、  ５８  連絡操作領域。
【図１】
2020036259.tif 000003
【図２】
2020036259.tif 000004
【図３】
2020036259.tif 000005